(57)【特許請求の範囲】
【請求項１】
被加熱物を収容する加熱庫と、同一方向へ並設された複数の炎孔からガスを放出して燃焼させ、熱気を生成するバーナと、バーナを配する燃焼室と、前記熱気を燃焼室内から導出させ、加熱庫内へ送り込む循環ファンとを備え、循環ファンによって本体外部の空気を給気口から燃焼室内に取り込み、バーナの各炎孔の周辺へ導くように構成された加熱調理器であって、
前記炎孔の並設方向に向かい合う両燃焼室側壁とバーナとの間に、所定の間隙が設けられ、
燃焼室内の熱気導出経路におけるバーナの炎孔形成部との対向領域よりも両燃焼室側壁側に、二つの温度センサが炎孔の並設方向へ離間して設けられ、
前記温度センサ相互の検知温度差が基準値より大きい状態が所定時間以上続いた場合は、バーナが異常燃焼状態であると判定する構成とした、加熱調理器。
【請求項２】
被加熱物を収容する加熱庫と、同一方向へ並設された複数の炎孔からガスを放出して燃焼させ、熱気を生成するバーナと、バーナを配する燃焼室と、前記熱気を燃焼室内から導出させ、加熱庫内へ送り込む循環ファンとを備え、循環ファンによって本体外部の空気を給気口から燃焼室内に取り込み、バーナの各炎孔の周辺へ導くように構成された加熱調理器であって、
燃焼室内の熱気導出経路に、二つの温度センサが炎孔の並設方向へ離間して設けられ、
前記温度センサ相互の検知温度差が基準値より大きい状態が所定時間以上続いた場合は、バーナが異常燃焼状態であると判定し、
前記異常燃焼状態であると判定された異常判定回数が所定回数未満である場合は、加熱調理運転を許容しつつ、バーナの異常燃焼を報知手段から報知させ、
前記異常判定回数が所定回数以上である場合は、加熱調理運転を禁止すると共に、バーナの異常燃焼を報知手段から報知させる構成とした、加熱調理器。
【請求項３】
請求項２に記載の加熱調理器において、
バーナが異常燃焼状態であると判定された後、前記検知温度差が基準値より大きい状態が所定時間未満になった場合は、バーナが正常燃焼状態になったと判定して、異常判定回数の記録を消去する構成とした、加熱調理器。
【請求項４】
請求項１から３のいずれかに記載の加熱調理器において、
少なくとも何れか一方の温度センサの検知温度が所定の上限値に達した場合は、バーナが異常燃焼状態であると判定する構成とした、加熱調理器。
【発明の詳細な説明】
【技術分野】
【０００１】
本発明は、加熱調理器、特に、バーナから放出された熱気を加熱庫内に送り込んで被加熱物の加熱調理を行う加熱調理器に関する。
【背景技術】
【０００２】
従来、本体内部に設けられる加熱庫下部の空間にバーナを配し、バーナから放出された熱気を循環ファンによって加熱庫内へ送り込むことで、食材等の被加熱物のオーブン加熱調理を行う所謂熱気循環式の加熱調理器が知られている。この種の加熱調理器では、本体内部の限られた空間内にて加熱庫の容積をできる限り大きくすべく、加熱庫周辺の構造の小型化が図られている。具体的には、加熱庫と本体ケースとの対向する底壁相互の比較的狭い間隙に燃焼室を設けると共に、上記燃焼室内に、同一方向へ並設される複数の炎孔を有するバーナを配し、バーナから放出された熱気を循環ファンによって燃焼室内から加熱庫内へ送り込むように構成したものが提案されている（例えば、特許文献１参照）。
【先行技術文献】
【特許文献】
【０００３】
【特許文献１】特開２０１３−２１３６４９号公報
【発明の概要】
【発明が解決しようとする課題】
【０００４】
上記従来の加熱調理器では、バーナの燃焼用の二次空気を、本体外部から本体ケースの前面に設けられた給気口を通じて燃焼室内へ取り込み、バーナの各炎孔の周辺へ導くように構成されているため、埃などによって給気口が閉塞され、炎孔周辺への外部空気の流れが悪くなると、不完全燃焼や燃焼炎のリフト現象などバーナの異常燃焼を引き起こす場合がある。そこで、このような異常燃焼を検出するため、燃焼室内の熱気導出経路の所定位置に温度センサを配し、温度センサの検知温度が正常燃焼時の基準温度より高くなれば、バーナが異常燃焼状態であると判定する方法が考えられる。
【０００５】
しかしながら、給気口の一部が閉塞された場合、燃焼室内の一部領域への外部空気の流れが悪くなり、炎孔の並設方向における一方側と他方側とで空気の流れに偏りが生じる。そのため、上述のように熱気導出経路の特定の位置の温度に基づいてバーナの異常燃焼を判定するように構成されたものとしても、的確に異常燃焼を検出できない虞がある。
【０００６】
本発明は、上記課題を鑑みてなされたものであり、その目的は、バーナから放出された熱気を加熱庫内に送り込んで被加熱物の加熱調理を行う加熱調理器において、バーナの異常燃焼の検知精度の向上を図ることにある。
【課題を解決するための手段】
【０００７】
本発明は、被加熱物を収容する加熱庫と、同一方向へ並設された複数の炎孔からガスを放出して燃焼させ、熱気を生成するバーナと、バーナを配する燃焼室と、前記熱気を燃焼室内から導出させ、加熱庫内へ送り込む循環ファンとを備え、循環ファンによって本体外部の空気を給気口から燃焼室内に取り込み、バーナの各炎孔の周辺へ導くように構成された加熱調理器であって、前記炎孔の並設方向に向かい合う両燃焼室側壁とバーナとの間に、所定の間隙が設けられ、燃焼室内の熱気導出経路におけるバーナの炎孔形成部との対向領域よりも両燃焼室側壁側に、二つの温度センサが炎孔の並設方向へ離間して設けられ、前記温度センサ相互の検知温度差が基準値より大きい状態が所定時間以上続いた場合は、バーナが異常燃焼状態であると判定する構成としたものである。
【０００８】
給気口から燃焼室内全体へ均一に外部空気が取り込まれている場合、熱気導出経路への外部空気の流れは、炎孔の並設方向の一方側と他方側とで殆ど差を生じない。よって、二つの温度センサの配設部周辺にも均等に外部空気が流れる。しかしながら、給気口の閉塞度合が大きくなって、燃焼室内の一部領域への外部空気の流れが悪くなると、一方の温度センサに対する空気の流れも正常時より少なくなるため、その一方の温度センサ周辺の温度と他方の温度センサ周辺の温度との間で温度偏重が生じる。そこで、本発明では、二つの温度センサの検知温度差が基準値より大きい状態が所定時間以上続けば、バーナが異常燃焼状態であると判定する。これにより、給気口の閉塞条件が異なっても的確にバーナの異常燃焼を検出できる。
【０００９】
また、本発明は、被加熱物を収容する加熱庫と、同一方向へ並設された複数の炎孔からガスを放出して燃焼させ、熱気を生成するバーナと、バーナを配する燃焼室と、前記熱気を燃焼室内から導出させ、加熱庫内へ送り込む循環ファンとを備え、循環ファンによって本体外部の空気を給気口から燃焼室内に取り込み、バーナの各炎孔の周辺へ導くように構成された加熱調理器であって、燃焼室内の熱気導出経路に、二つの温度センサが炎孔の並設方向へ離間して設けられ、前記温度センサ相互の検知温度差が基準値より大きい状態が所定時間以上続いた場合は、バーナが異常燃焼状態であると判定し、前記異常燃焼状態であると判定された異常判定回数が所定回数未満である場合は、加熱調理運転を許容しつつ、バーナの異常燃焼を報知手段から報知させ、前記異常判定回数が所定回数以上である場合は、加熱調理運転を禁止すると共に、バーナの異常燃焼を報知手段から報知させる構成としたものである。
【００１０】
身体や衣服などによって給気口が塞がれた場合など、給気口が閉塞されても、容易に閉塞が解消され、元の正常状態に復帰する場合がある。そこで、本発明では、バーナが異常燃焼状態であると判定されても、その異常判定回数が所定回数未満である間は、加熱調理運転を禁止しないで、バーナに異常燃焼が生じている旨の報知のみ行う。これにより、異常燃焼の原因が容易に解消可能なものであるにもかかわらず、即時に使用が制限されてしまうといった問題が生じない。
【００１１】
一方で、異常判定回数が所定回数以上であれば、異常燃焼の原因が炎孔の詰まりやガスバルブの動作不良など、使用者で対処不可能なことによるものである可能性があるため、この場合は、加熱調理運転を禁止した上で、バーナに異常燃焼が生じている旨の報知を行う。これにより、機器に不具合が存する状態で使用し続けられるといった問題も生じない。
【００１２】
また、本発明は、上記加熱調理器において、バーナが異常燃焼状態であると判定された後、前記検知温度差が基準値より大きい状態が所定時間未満になった場合は、バーナが正常燃焼状態になったと判定して、異常判定回数の記録を消去する構成としたものである。
【００１３】
このものでは、バーナが異常燃焼状態であると判定されても、異常燃焼の原因が解消され、上記検知温度差の大きい状態が所定時間以上続かなくなれば、異常判定回数の記録を消去するから、異常燃焼の原因が容易に解消可能なものであるにもかかわらず、長期使用している間に、突然使用が制限されてしまうといった問題が生じない。
【００１４】
また、本発明は、上記加熱調理器において、少なくとも何れか一方の温度センサの検知温度が所定の上限値に達した場合は、バーナが異常燃焼状態であると判定する構成としたものである。
【００１５】
バーナへ供給されるガス圧の上昇や一次空気量の低下、燃焼室からの排気不良などによってバーナの異常燃焼が生じると、燃焼炎の形成位置や向き、範囲が不安定になり、温度センサの配設部周辺が高温になる場合がある。そこで、本発明では、二つの温度センサの検知温度差が基準値以下であっても、何れか一方の検知温度が所定の上限値に達すれば、バーナが異常燃焼状態であると判定する。これにより、より確実にバーナの異常燃焼を検出できる。
【発明の効果】
【００１６】
以上のように、本発明によれば、給気口の閉塞条件が異なっても的確にバーナの異常燃焼を検出可能な、検知精度の高い加熱調理器を提供できる。
【図面の簡単な説明】
【００１７】
【図１】図１は、本発明の実施の形態に係る加熱調理器の概略斜視縦断面図である。
【図２】図２は、本発明の実施の形態に係る加熱調理器の燃焼室周辺の概略斜視図である。
【図３】図３は、本発明の実施の形態に係る加熱調理器の燃焼室周辺の概略上方視横断面図である。
【図４】図４は、本発明の実施の形態に係る加熱調理器の燃焼室周辺の概略後方視縦断面図である。
【図５】図５は、本発明の実施の形態に係る加熱調理器の概略構成図である。
【図６】図６は、本発明の実施の形態に係る加熱調理器の異常燃焼判定動作を示す作動フローチャートである。
【発明を実施するための形態】
【００１８】
次に、上記した本発明を実施するための形態について、添付図面を参照しながら詳述する。
図１に示すように、本発明の実施の形態に係る加熱調理器１は、オーブン機能を有するガスコンロであって、本体ケース１１の内部に、食材等の被加熱物を収容する加熱庫１０が設けられている。また、本体ケース１１の前面部１１１には、加熱庫１０の前面開口部１００を被閉する前扉１２が設けられている。さらに、前扉１２の後方で且つ本体ケース１１の前面部１１１の下端寄りの位置には、本体外部の空気を燃焼室２０内へ取り込むための給気口１１２が複数開設されている。尚、本明細書では、本体ケース１１の前面部１１１を加熱調理器１の正面とし、加熱調理器１を正面側から見たときの本体ケース１１の奥行き方向を前後方向、幅方向を左右方向、高さ方向を上下方向という。
【００１９】
本体ケース１１内における加熱庫１０の下方の空間、即ち、加熱庫１０と本体ケース１１との対向する底壁相互の間隙には、バーナ１３を収容する燃焼室２０が設けられている。また、本体ケース１１内における加熱庫１０の後方の空間には、バーナ１３から燃焼室２０内へ放出されたガスの燃焼熱（熱気）を循環ファン１４の吸込口１４１へ導く熱気通路３０が設けられている。さらに、本体ケース１１内における加熱庫１０の上方後部には、加熱庫１０内の空気を本体ケース１１の外部へ導く排気通路３１が設けられている。
【００２０】
加熱庫１０は、上面を構成する上壁１０Ａと、底面を構成する底壁１０Ｂと、左側面を構成する左側壁１０Ｃと、右側面を構成する右側壁（図示せず）と、後面を構成する奥壁１０Ｅとによって、前方へ開放する略矩形箱状に形成されている。
【００２１】
加熱庫１０の上壁１０Ａの後方寄りの位置には、排気通路３１に繋がる排気口１０１が開設されており、被加熱物から発生した油煙や臭気成分は、排気口１０１から排気通路３１を通って本体ケース１１の外部へ排出される。
【００２２】
加熱庫１０の奥壁１０Ｅの中央より左右の側方寄りの位置には、循環ファン１４の図示しない吹出口に繋がる熱気導出孔１０２が開設されている。また、加熱庫１０の奥壁１０Ｅの中央位置には、熱気通路３０に繋がる熱気導入孔１０３が開設されている。従って、循環ファン１４を作動させると、バーナ１３から燃焼室２０内に放出された熱気が熱気通路３０を通って吸込口１４１へ吸い込まれた後、熱気導出孔１０２から加熱庫１０内へ送り込まれる。また、加熱庫１０内へ送り込まれた熱気の一部は、熱気導入孔１０３から熱気通路３０を通って吸込口１４１へ吸い込まれ、再び熱気導出孔１０２から加熱庫１０内へ送り込まれる。
【００２３】
図２に示すように、燃焼室２０は、上面を構成する上壁２０Ａと、底面を構成する底壁２０Ｂと、左側面を構成する左側壁２０Ｃと、右側面を構成する右側壁２０Ｄと、後面を構成する奥壁２０Ｅとによって、前方へ開放する略矩形箱状に形成されており、バーナ１３は、燃焼室２０内における前後方向の略中央位置に組み込まれている。また、給気口１１２は、燃焼室２０の前面開口部２１の前方に設けられており、循環ファン１４を作動させることで、本体外部の空気（外部空気）がバーナ１３の燃焼用の二次空気として給気口１１２から燃焼室２０内へ取り込まれる。
【００２４】
燃焼室２０の上壁２０Ａの中央後方寄りの位置には、燃焼室２０と熱気通路３０とを繋ぐ連通口２２が開設されており、バーナ１３から燃焼室２０内へ放出された熱気は、連通口２２を通って熱気通路３０へ導かれる。
【００２５】
バーナ１３は、プレス加工された一枚の板材を折り曲げて形成した管体であり、図１に示すように、燃焼室２０の上壁２０Ａと底壁２０Ｂとの間に所定の間隙を存して配設されている。従って、給気口１１２から燃焼室２０内に取り込まれた外部空気は、バーナ１３の上下の間隙を通り、バーナ１３の後端面に形成された炎孔１３０の周辺へ導かれる。
【００２６】
図２および図３に示すように、バーナ１３は、左右に長い上方視略矩形状に形成されており、その後端面には、複数の炎孔１３０が左右方向へ所定の間隔を存して並設されている。また、バーナ１３の一方の側端（ここでは、右側端）には、ガス供給口１３１が設けられている。尚、図示しないが、ガス供給口１３１の外側には、ガス噴出ノズルが対峙して設けられており、ガス噴出ノズルから噴出されたガスは、ガス供給口１３１周辺の空気と共に、バーナ１３の内部へ送り込まれ、各炎孔１３０から後方へ向けて面状に噴出される。
【００２７】
バーナ１３の上面および下面にはそれぞれ、対向する燃焼室２０の上壁２０Ａまたは底壁２０Ｂに対して一定幅の間隙を存して、横長板状の整流板１３２が設けられている。従って、給気口１１２から燃焼室２０内に取り込まれた外部空気は、バーナ１３の上下の間隙を通過する際、バーナ１３の左右間において一定の流量で炎孔１３０の周辺へ供給される。よって、バーナ１３を点火すれば、炎孔１３０の後方に安定した燃焼炎が形成される。
【００２８】
燃焼室２０の左側壁２０Ｃにおけるバーナ１３の配設部より後方で且つ炎孔１３０の近傍位置には、炎孔１３０の後方における燃焼炎の有無を検知する炎検知センサ１５が設けられている。一方、燃焼室２０の右側壁２０Ｄにおけるバーナ１３の配設部より後方で且つ炎孔１３０の近傍位置には、炎孔１３０の周辺で火花放電する点火プラグ１６が設けられており、バーナ１３の点火操作がなされ、図示しないイグナイタから所定電圧が印加されると、特定の炎孔１３０の周辺で火花放電させ、炎孔１３０から放出されたガスを着火させる。
【００２９】
また、左側壁２０Ｃにおけるバーナ１３の配設部より後方で且つ炎検知センサ１５より後方位置、および、右側壁２０Ｄにおけるバーナ１３の配設部より後方で且つ点火プラグ１６より後方位置には、バーナ１３の燃焼状態を検知するための温度センサ１７１，１７２が各別に設けられている。即ち、炎孔１３０の形成部から連通口２２に至る熱気導出経路２００の略中間位置に、二つの温度センサ１７１，１７２が炎孔１３０の並設方向（左右方向）と同一方向へ離間して設けられている。
【００３０】
側壁２０Ｃ，２０Ｄの内側で且つ炎検知センサ１５および点火プラグ１６の配設部より後方位置には、バーナ１３から放出された熱気を連通口２２へ導くための導風板２３が、側壁２０Ｃ，２０Ｄから燃焼室２０の中央斜め後方へ向かって延設されており、温度センサ１７１，１７２は、導風板２３の前端に配設されている。従って、バーナ１３から放出され、導風板２３の前端に到達した熱気は、温度センサ１７１，１７２の配設部を通って連通口２２へ導かれる。
【００３１】
図３および図４に示すように、左側壁２０Ｃの温度センサ（以下、「第１温度センサ」という）１７１は、バーナ１３の最左端に位置する炎孔１３０より左側方に配設され、右側壁２０Ｃの温度センサ（以下、「第２温度センサ」という）１７２は、バーナ１３の最右端に位置する炎孔１３０より右側方に配設されている。即ち、第１温度センサ１７１および第２温度センサ１７２は、炎孔１３０の形成部との対向領域よりも左右外側に離間して設けられている。従って、バーナ１３が正常燃焼状態であるとき、炎孔１３０の後方に形成されるガスの燃焼炎は、第１温度センサ１７１および第２温度センサ１７２に接触しない。しかも、給気口１１２から燃焼室２０内へ取り込まれる外部空気の一部が、炎孔１３０の周辺を通らずに、バーナ１３の左右の側端周辺に設けられた間隙２４を通って第１温度センサ１７１および第２温度センサ１７２の各周辺へ導かれるから、燃焼炎にふらつきが生じても、第１温度センサ１７１および第２温度センサ１７２周辺の温度は安定する。よって、バーナ１３の燃焼状態を正確に検知できる。
【００３２】
図５に示すように、本体ケース１１の前面部１１１には、バーナ１３を手動で点火および消火させるためのバーナ操作部４１と、加熱調理器１の動作情報を音声にて報知する音声出力部４２と、加熱調理器１の動作情報を表示する表示部４３とが設けられている。尚、バーナ操作部４１は、バーナ１３の火力を手動で設定するための火力調整機能を兼備している。
【００３３】
本体ケース１１の内部には、バーナ操作部４１による点火操作や消火操作に応じてバーナ１３へのガスの供給量を調整するガスバルブ４４が組み込まれており、バーナ１３のガス供給口１３１へガスを噴出するガス噴出ノズルは、ガスバルブ４４に接続されている。尚、図示しないが、ガスバルブ４４は、バーナ操作部４１によって点火操作がなされれば開き、炎検知センサ１５によって燃焼炎が検知されなくなれば閉じる電磁開閉弁と、バーナ操作部４１によって点火操作がなされれば開き、消火操作がなされれば閉じる主弁と、バーナ操作部４１で設定された火力に合わせて開度調整されるニードル弁と、制御回路５からの指示に応じてバーナ１３へのガスの供給量を切り替える火力切替弁とからなるバルブユニットであり、これら各弁によってバーナ１３の火力が適宜調整される。
【００３４】
また、本体ケース１１の内部には、加熱調理器１全体の動作を制御する制御回路５が組み込まれており、循環ファン１４、炎検知センサ１５、点火プラグ１６、バーナ操作部４１、第１温度センサ１７１、第２温度センサ１７２、音声出力部４２、表示部４３、および、ガスバルブ４４は、制御回路５に電気配線を通じて接続されている。
【００３５】
制御回路５は、バーナ１３の点火や消火、火力調整を行うバーナ制御部、循環ファン１４の作動や停止を行うファン制御部、炎検知センサ１５の出力値に基づいてバーナ１３の点火や消火を判定する点消火判定部等の回路構成を有している。
【００３６】
また、制御回路５は、第１温度センサ１７１および第２温度センサ１７２相互の検知温度差｜Ｔ１−Ｔ２｜に基づいて給気口１１２の閉塞状態を判定する閉塞判定部、検知温度差｜Ｔ１−Ｔ２｜が基準値Ｔｓより大きい状態である偏温時間Ｓ１を計測する計時部、偏温時間Ｓ１が所定時間Ｓｎに達したか否かに基づいてバーナ１３の異常燃焼を判定する第１の異常燃焼判定部、第１温度センサ１７１および第２温度センサ１７２の各検知温度Ｔ１，Ｔ２に基づいてバーナ１３の異常燃焼を判定する第２の異常燃焼判定部、第１の異常燃焼判定部によってバーナ１３の異常燃焼と判定された異常判定回数Ｎ１を記憶する記憶部、異常判定回数Ｎ１が所定回数Ｎｓに達したか否かを判定する異常回数判定部、バーナ１３が異常燃焼状態であることを音声出力部４２および表示部４３から報知させる異常報知部等の回路構成を有している。
【００３７】
次に、制御回路５によるバーナ１３の異常燃焼判定動作を図６に従って説明する。尚、上記加熱調理器１では、本体ケース１１の前面部１１１に設けられた図示しない電源スイッチを操作し、電源をオンにすることで制御回路５の主な制御プログラムが起動し、以下に説明する制御動作が実行可能な状態となる。
【００３８】
バーナ操作部４１によって点火操作がなされると、循環ファン１４を作動させると共に点火プラグ１６から火花放電させ、さらにガスバルブ４４の電磁開閉弁および主弁を開く。また、上記点火操作に連動してガスバルブ４４のニードル弁の開度が所定の点火時開度に調整される。これにより、給気口１１２から燃焼室２０内へ外部空気（二次空気）が取り込まれ、また、バーナ１３にはガス供給口１３１周辺の空気（一次空気）と共に所定量のガスが供給され、バーナ内部で点火に適した濃度に混合される。そして、各炎孔１３０から燃焼室２０の後方へ放出され、上記火花放電により点火される（ＳＴ１〜ＳＴ３）。
【００３９】
尚、図示しないが、ＳＴ３のステップにてバーナ１３が点火された後、バーナ操作部４１にて火力調整操作が行われた場合は、その操作に合わせてガスバルブ４４のニードル弁の開度が変更される。これにより、バーナ１３の火力が調整される。また、バーナ１３が点火された後、何らかの原因により失火し、炎検知センサ１５によって燃焼炎が検知されなくなった場合は、ガスバルブ４４の電磁開閉弁を閉じ、バーナ１３へのガスの供給を強制的に停止させる。これにより、バーナ１３からのガス漏れが防止される。
【００４０】
バーナ１３が点火された後、バーナ操作部４１によって消火操作がなされるまでの間、第１温度センサ１７１の検知温度（以下、「第１検知温度」という）Ｔ１と第２温度センサ１７２の検知温度（以下、「第２検知温度」という）Ｔ２との差の絶対値｜Ｔ１−Ｔ２｜を算出し、その算出された検知温度差｜Ｔ１−Ｔ２｜が所定の基準値Ｔｓ（例えば、５０ｄｅｇ）より大きくなったか否か、および、第１検知温度Ｔ１または第２検知温度Ｔ２の少なくとも何れか一方が所定の上限値Ｔｈ（例えば、２５０℃）に達したか否かの監視を行う（ＳＴ４〜ＳＴ６）。
【００４１】
検知温度差｜Ｔ１−Ｔ２｜が基準値Ｔｓ以下であり（ＳＴ４のステップでＮｏ）、且つ、第１検知温度Ｔ１および第２検知温度Ｔ２の何れも上限値Ｔｈより低い場合は（ＳＴ５のステップでＮｏ）、給気口１１２からバーナ１３の各炎孔１３０の周辺全体へ正常に外部空気が導入され、且つ、熱気導出経路２００の熱気の流れも正常である、即ち、バーナ１３が正常燃焼状態であるとして、加熱調理運転を継続する。そしてその後、バーナ操作部４１によって消火操作がなされた場合は（ＳＴ６のステップでＹｅｓ）、ガスバルブ４４の主弁を閉じてバーナ１３へのガスの供給を遮断し、バーナ１３を消火させると共に、循環ファン１４を停止させ、ＳＴ１のステップに戻る（ＳＴ７〜ＳＴ８）。
【００４２】
一方、バーナ１３が点火された後、検知温度差｜Ｔ１−Ｔ２｜が基準値Ｔｓより大きくなった場合は（ＳＴ４のステップでＹｅｓ）、給気口１１２が閉塞されて、燃焼室２０内の一部領域への外部空気の流れが悪くなったとして、計時部にて偏温時間Ｓ１の計測を開始し、上述した第１検知温度Ｔ１および第２検知温度Ｔ２の監視（ＳＴ５）、消火操作の有無の監視（ＳＴ６）、検知温度差｜Ｔ１−Ｔ２｜の監視（ＳＴ４）に加え、偏温時間Ｓ１が所定時間Ｓｎ（例えば、５秒）に達したか否かの監視を行う（ＳＴ９〜ＳＴ１０）。
【００４３】
尚、偏温時間Ｓ１の計測を開始してから、偏温時間Ｓ１が所定時間Ｓｎに達するまでの間に（ＳＴ１０のステップでＮｏ）、給気口１１２の閉塞が解消され、検知温度差｜Ｔ１−Ｔ２｜が基準値Ｔｓ以下になった場合は（ＳＴ４のステップでＮｏ）、元の正常燃焼状態に戻ったとして、偏温時間Ｓ１の計測を中止し（図示しない）、ＳＴ５のステップを行う。
【００４４】
偏温時間Ｓ１の計測開始後、偏温時間Ｓ１が所定時間Ｓｎに達した場合は（ＳＴ１０のステップでＹｅｓ）、給気口１１２が閉塞されたことによって燃焼室２０内の一部領域への外部空気の流れが悪くなり、バーナ１３が異常燃焼状態になったとして、バーナ１３が異常燃焼状態である旨を音声出力部４２から音声にて報知し且つ表示部４３に表示させる。そして、偏温時間Ｓ１の計測を停止すると共に、記憶部に記憶された異常判定回数Ｎ１（初期状態では「０」）に「１」を加算記憶させ、異常判定回数Ｎ１が所定回数Ｎｓ（例えば、５回）に達したか否かを判定する（ＳＴ１１〜ＳＴ１４）。
【００４５】
その結果、異常判定回数Ｎ１が所定回数Ｎｓに達していない場合は（ＳＴ１４のステップでＮｏ）、異常燃焼の原因が一時的なものである可能性があるため、ＳＴ５のステップを行う。そしてその後、異常燃焼の原因が解消され、検知温度差｜Ｔ１−Ｔ２｜が基準値Ｔｓ以下に戻れば（ＳＴ４のステップでＹｅｓ）、元の正常燃焼状態に戻ったとして、記憶部に記憶された異常判定回数Ｎ１を「０」にリセットし（図示しない）、ＳＴ５のステップを行う。
【００４６】
尚、図示しないが、バーナ１３の異常燃焼が音声出力部４２および表示部４３から報知された後、検知温度差｜Ｔ１−Ｔ２｜が基準値Ｔｓ以下に戻った状態で、本体ケース１１の前面部１１１に設けられた図示しない操作スイッチにより所定の報知停止操作がなされた場合は、異常燃焼の報知を停止させる。
【００４７】
一方、ＳＴ４からＳＴ１４のステップが繰り返された結果、異常判定回数Ｎ１が所定回数Ｎｓに達した場合は（ＳＴ１４のステップでＹｅｓ）、異常燃焼の原因が容易に解消可能なものではないとして、記憶部に記憶された異常判定回数Ｎ１を「０」にリセットすると共に、バーナ１３を強制的に消火させ、さらに循環ファン１４を停止させる（ＳＴ１５，ＳＴ７〜ＳＴ８）。
【００４８】
また、ＳＴ４からＳＴ６のステップを行っている間に、第１検知温度Ｔ１または第２検知温度Ｔ２の少なくとも何れか一方が上限値Ｔｈに達した場合は（ＳＴ５のステップでＹｅｓ）、バーナ１３へ供給されるガス圧の上昇や一次空気量の低下、燃焼室２０からの排気不良などによりバーナ１３の異常燃焼が生じているとして、バーナ１３が異常燃焼状態である旨を音声出力部４２から音声にて報知し且つ表示部４３に表示させると共に、バーナ１３を強制的に消火させ、さらに循環ファン１４を停止させる（ＳＴ１６，ＳＴ７〜ＳＴ８）。
【００４９】
このように、上記加熱調理器１では、熱気導出経路２００の左右位置に離間して設けられた二つの温度センサ１７１，１７２の検知温度差｜Ｔ１−Ｔ２｜が基準値Ｔｓより大きい状態が所定時間Ｓｎ以上続けば、バーナ１３が異常燃焼状態であると判定するから、給気口１１２の閉塞条件が異なっても的確にバーナ１３の異常燃焼を検出できる。よって、検知精度の高い加熱調理器を提供できる。
【００５０】
また、このものでは、バーナ１３が異常燃焼状態であると判定されても、その異常燃焼と判定された回数（異常判定回数）Ｎ１が所定回数Ｎｓ未満である間は、加熱調理運転を禁止しないで、バーナ１３に異常燃焼が生じている旨の報知のみ行うから、異常燃焼の原因が容易に解消可能なものであるにもかかわらず、即時に使用が制限されてしまうといった問題が生じない。よって、検知精度が高く且つ使い勝手の良い加熱調理器を提供できる。
【００５１】
一方で、異常判定回数Ｎ１が所定回数Ｎｓ以上であれば、異常燃焼の原因が炎孔の詰まりやガスバルブの動作不良など、使用者で対処不可能なことによるものである可能性があるため、この場合は、加熱調理運転を禁止した上で、バーナ１３に異常燃焼が生じている旨の報知を行う。これにより、機器に不具合が存する状態で使用し続けられるといった問題も生じない。よって、検知精度が高く且つ使い勝手の一層良好な加熱調理器を提供できる。
【００５２】
しかも、このものでは、バーナ１３が異常燃焼状態であると判定されても、異常燃焼の原因が解消され、検知温度差｜Ｔ１−Ｔ２｜の大きい状態が所定時間Ｓｎ以上続かなくなれば、異常判定回数の記録を消去するから、異常燃焼の原因が容易に解消可能なものであるにもかかわらず、長期使用している間に、突然使用が制限されてしまうといった問題が生じない。よって、使い勝手の一層良好な加熱調理器を提供できる。
【００５３】
また、このものでは、検知温度差｜Ｔ１−Ｔ２｜が基準値Ｔｓ以下であっても、第１検知温度Ｔ１或いは第２検知温度Ｔ２の何れか一方でも上限値Ｔｈに達した場合は、バーナ１３が異常燃焼状態であると判定するから、より確実にバーナ１３の異常燃焼を検出できる。よって、より検知精度の高い加熱調理器を提供できる。
【００５４】
尚、上記実施の形態では、バーナ１３の点火後、偏温時間Ｓ１が所定時間Ｓｎに達した場合に、異常判定回数Ｎ１が所定回数Ｎｓに達していなければ、異常燃焼の報知のみ行い、バーナ１３の燃焼状態は維持する制御構成としたが、異常燃焼を報知させると共に、バーナ１３の火力を弱火に制限する制御構成としてもよい。
【符号の説明】
【００５５】
１      加熱調理器
１０    加熱庫
１１    本体ケース
１１２  給気口
１３    バーナ
１３０  炎孔
１４    循環ファン
１７１  第１温度センサ
１７２  第２温度センサ
２０    燃焼室
２００  熱気導出経路
４２    音声出力部（報知手段）
４３    表示部（報知手段）
５      制御回路
【図１】
0006494312.tif 000002
【図２】
0006494312.tif 000003
【図３】
0006494312.tif 000004
【図４】
0006494312.tif 000005
【図５】
0006494312.tif 000006
【図６】
0006494312.tif 000007